(57)【特許請求の範囲】
【請求項１】
地表に立設された支柱とこの支柱に取着された主梁とこの主梁上に載置された屋根部からなる屋根構造に於いて、屋根部が屋根材と外周梁と軒樋からなり、屋根材の中央部が上方に膨出され、屋根材の周縁部が全周に亘って屋根材の中央部より低い同一面上に形成され、この屋根材の周縁部の下に全周に亘って軒樋が外周梁を介して取着されると共に、軒樋は、断面半円形状でその上面内部に外周梁が配置されて、屋根材に降った雨水を排水する機能と共に屋根材端部と外周梁を隠蔽する機能も付与されていることを特徴とする屋根構造。
【発明の詳細な説明】
【０００１】
【発明の属する技術分野】
本発明は、バスの停留所、タクシー乗り場、車庫スペース、渡り廊下などの建物間の通路、門と玄関の間のアプローチなどの雨よけ、日除け用の屋根として用いられる屋根の構造に関する。
【０００２】
【従来の技術】
従来、種々構造の屋根が知られている。例えば、実開平４−３６００５号公報には、対向する一対の母屋と対向する一対の軒母屋とで形成された枠体の内面に一体にもしくは別体に添設された上押さえ部材と下押さえ部材の間隙に屋根材の周縁部を密着保持して屋根パネルとし、この屋根パネルの母屋側端面を相互に接合し、屋根パネルの先端部を支柱の上方に取付けられた桁梁に取付けられた組立屋根が記載されている。
【０００３】
又、実開平７−２１８５８号公報には、屋根部と、この屋根部の全周を取り巻く樋部とからなり、これら屋根部と樋部とが１枚のプラスチック板の一体成型によって形成された屋根ユニットが記載されている。
【０００４】
【発明が解決しようとする課題】
しかしながら上記実開平４−３６００５号公報記載の組立屋根は屋根パネルの母屋側端面と、隣接する屋根パネルの母屋側端面とを接合して組立屋根にすると、母屋と母屋との間から雨水が漏れ易いという問題があった。
【０００５】
又、実開平７−２１８５８号公報記載の屋根ユニットは屋根ユニットを組み合わせてプラスチック屋根が形成されるとき、連結部から雨水が漏れ易いという問題があった。
【０００６】
そこで本発明者は従来の欠点に鑑み鋭意研究の結果、施工が容易で雨水が漏れない屋根構造を提供するものである。
【０００７】
【課題を解決するための手段】
本発明請求項１記載の屋根構造は、地表に立設された支柱とこの支柱に取着された主梁とこの主梁上に載置された屋根部からなる屋根構造に於いて、屋根部が屋根材と外周梁と軒樋からなり、屋根材の中央部が上方に膨出され、屋根材の周縁部が全周に亘って屋根材の中央部より低い同一面上に形成され、この屋根材の周縁部の下に全周に亘って軒樋が外周梁を介して取着されると共に、軒樋は、断面半円形状でその上面内部に外周梁が配置されて、屋根材に降った雨水を排水する機能と共に屋根材端部と外周梁を隠蔽する機能も付与されていることを特徴とするもので、屋根材に降った雨水が全て周縁部に流れ、軒樋を通して排水されるので屋根材に水が貯まることがなく、屋根材の周縁部の全周に亘って外周梁が取着されているので屋根材が曲がったりすることがない。
【０００８】
【０００９】
【発明の実施の形態】
以下、図面を参照しながら本発明に付いて説明する。図１は本発明屋根構造の実施形態の一例を示す正面図であり、図２は図１の平面図である。１は屋根材であり、正面視円弧状に中央部が上方向へ膨出され、降雨時屋根材１に降った雨水が全て屋根材１の周縁部１１へ流れるようになされている。屋根材１の周縁部１１には全周に亘って軒樋２が取着され、雨水がこの軒樋２を通して排水されるようなされている。軒樋２の支柱３上に載置されている部分に水抜き孔が設けられ竪樋４がこの水抜き孔に取着されている。竪樋４は支柱３内に設けられ支柱３の下部から雨水が排水されるようなされている。屋根材１の周縁部１１には適宜間隔で螺子孔が設けられこの螺子孔を介して外周梁５と屋根材１が螺着されている。屋根材は合成樹脂板を真空成型やスケルトン成型などの成型方法で成型して作製される。
【００１０】
軒樋２は断面半円形状でその上面に外周梁５が取着され、この外周梁５が前記したように屋根材１の縁部に取着されている。軒樋２は前記したように雨水を排水する機能と共に屋根材１端部と外周梁５を隠蔽するパラペットとしての機能も付与される。正面及び背面の軒樋２は直線状に形成され、側面の軒樋２は屋根材１の周縁部１１の形状に適合した曲線状となされ、正面及び背面に回り込み平面視コ字状となされている。正面及び背面の軒樋２はアルミ合金押し出し形材や合成樹脂の押し出し形材で作製される。側面の軒樋２は合成樹脂などを成型して作製されるが、強度面を配慮してＦＲＰなどで作製されるのが好ましい。
【００１１】
支柱３は鋼管などの金属管で作製され、上端に蓋体３１が形成されている。支柱３の上部の側壁に主梁６の基部６１が取着されている。この主梁６は鋼管や形鋼などの棒状金属などで作製され先端部６２には軒樋受け部６３が設けられている。この軒樋受け部６３は軒樋２の外形に適合した形状となされ、屋根材１の周縁部１１に設けられた正面の軒樋２がこの軒樋受け部６３上に載置され、背面の軒樋２が支柱３の上端の蓋体３１上に載置され屋根部が形成されている。
【００１２】
次に、本発明屋根構造の他の実施形態について、図３、図４によって説明する。１は屋根材であり、その側面端部が切断され、この切断部が隣合うように配設され、この切断部に連結用屋根材１２が当接固着され、屋根材１と屋根材１が連結される。正面の軒樋２と背面の軒樋２は２枚の連結された屋根材１の周縁部１１に亘って取着され、屋根材１両側面の周縁部１１には屋根材１枚で屋根部を構成するときと同じ軒樋２が取着される。軒樋２の上面には外周梁５が取着され連結された屋根材の剛性を保持している。
【００１３】
次に本発明屋根の施工方法について説明する。外周梁５には適宜間隔でボルト孔が穿設され、雌螺子部が形成される。この雌螺子部は外周梁５外壁にタップ加工が施されて設けられてもよいが、前記ボルト孔にブラインドナットが取着され形成されれば強度が高く好ましいものとなされる。次にこの外周梁５が軒樋２の上面に形成された外周梁受け部２２に当接、ボルトで固定される。外周梁５が取着された軒樋２が矩形に配設されこの軒樋２上に屋根材１が載置され、屋根材１の周縁部１１が適宜間隔で外周梁５にボルトやリベットなどで固定される。軒樋２のつなぎ目や屋根材１と外周梁５の固定部などにコーキングなどの適宜漏水防止処置がなされ、屋根部の組立が完了する。支柱３は上端に板状体が取着されて蓋体となされ、上部側壁に主梁６の基部６１が取着される。１又は複数の支柱３がその下部がコンクリートなどに埋設され、地表に立設される。この主梁６上に屋根部が載置され、正面の軒樋２が主梁６の先端部６２に形成された軒樋受け部６３上に、背面の軒樋２が支柱３の上端の蓋体３１上に載置固定されて屋根の施工が完了する。
かようにして組立の予め済んだ屋根部を支柱の上方に設けられた主梁の上に載置し固着するようにすれば、高所での作業が少なく、施工が容易である。
【００１４】
【発明の効果】
上述の如く、本発明請求項１記載の屋根構造は、地表に立設された支柱とこの支柱に取着された主梁とこの主梁上に載置された屋根部からなる屋根構造に於いて、屋根部が屋根材と外周梁と軒樋からなり、屋根材の中央部が上方に膨出され、屋根材の周縁部が全周に亘って屋根材の中央部より低い同一面上に形成され、この屋根材の周縁部の下に全周に亘って軒樋が外周梁を介して取着されると共に、軒樋は、断面半円形状でその上面内部に外周梁が配置されて、屋根材に降った雨水を排水する機能と共に屋根材端部と外周梁を隠蔽する機能も付与されていることを特徴とするもので、屋根材に降った雨水が全て周縁部に流れ、軒樋を通して排水されるので屋根材に水が貯まることがなく、屋根材の周縁部の全周に亘って外周梁が取着されているので屋根材が曲がったりすることがない。又、複数の屋根材を連結して屋根部を構成するときも軒樋と外周梁が複数の屋根材に亘って取着されるので、屋根部に充分な剛性が付与される。
【００１５】
【図面の簡単な説明】
【図１】  本発明屋根構造の実施形態の一例を示す正面図である。
【図２】  図１の平面図である。
【図３】  本発明屋根構造の実施形態の他の例を示す正面図である。
【図４】  図２の平面図である。
【図５】  図２のＡ−Ａ部の断面図である。
【図６】  図２のＢ−Ｂ部の断面図である。
【符号の説明】
１    屋根材
１１  周縁部
１２  連結用屋根材
２    軒樋
２１  水抜き孔
２２  外周梁受け部
３    支柱
３１  蓋体
４    竪樋
５    外周梁
６    主梁
６１  基部
６２  先端部
６３  軒樋受け部
【図１】
0003706221.tif 000002
【図２】
0003706221.tif 000003
【図３】
0003706221.tif 000004
【図４】
0003706221.tif 000005
【図５】
0003706221.tif 000006
【図６】
0003706221.tif 000007